(57)【特許請求の範囲】
【請求項１】
天板と、この天板の下方に設けられ、それぞれ異なる方向にスライドさせる複数の引出しと、この天板を支持する４本の脚部とを有してなるテーブルであって、
前記異なる方向にスライドさせる複数の引出しを、複数段に分けて配置し、
前記複数の引出しのうちの一部の引出しをスライドさせる方向に位置している２本の脚部の間に補強材を設け、この補強材の高さ位置と、当該一部の引出しの前面部の高さ位置とを揃えたことを特徴とするテーブル。
【請求項２】
前記補強材の内側に、前記一部の引出しをスライドさせるためのスライドレールを設けた請求項１記載のテーブル。
【請求項３】
前記引出しの下方に開放空間を設け、当該開放空間内で深さの異なる引出しに付け替え可能に設けた請求項１または２記載のテーブル。
【請求項４】
天板の裏側に、前記一部の引出しとは異なる引出しをスライドさせるためのスライドレールを設けた請求項１、２または３記載のテーブル。
【発明の詳細な説明】
【０００１】
【発明の属する技術分野】
本発明は、コラボレーションなどのように複数人が同時に使用する場合に好適に用いられるテーブルに関するものである。
【０００２】
【従来の技術】
現在、天板を正方形状や長方形状に構成したテーブルなどでは、その異なる使用端にそれぞれ個別の引出しを取り付けたようなものが存在する。このようなテーブルは、任意の使用端側に着座して打ち合わせした場合であっても、その位置で引出しを使用できるようにしたものであり、天板の下方の同一高さ位置にそれぞれ独立の引出しをスライド可能に取り付けるようにしたものである。
【０００３】
【発明が解決しようとする課題】
ところが、上記したような従来のテーブルは、その引出しを天板裏面における天板に平行な同一高さ位置に設けていたため、複数の引出しを設けた場合、一使用端の引出しの大きさによって、他の使用端に設けようとする引出しの大きさや可動範囲を拘束してしまうことになる。すなわち、いずれかの一端側に比較的大きな引出しを取り付けた場合は、その大きな引出しによって他の使用端側の引出しの占有領域が奪われてしまい、小さな引出ししか取り付けることができなくなる。一方、小さな引出しを複数設けた場合は、大きな引出しを取り付けることができなくなる。
【０００４】
このような状況では、このテーブルを例えばコラボレーションに際して用いる場合に、個人ごとに使用する紙やペンなどの文房具を収納するのための小さい引出しをテーブルの各使用端に設けて、かつ、プレゼンテーション用のプロジェクタ等の機器のようなものを収納する大きい引出しを設けることはできない。この結果、引出しに収納できないものを、別の場所に保管するか、ワゴン、マップケース、収納庫などのテーブル以外の家具類に収納しなければならない。ところが、この場合、コラボレーションの度に保管場所に取りに行かなければならず、時間がかかったり、思考を途中でさえぎられることになるという不具合を生じることとなる。またテーブルと、収納のための家具類とを別に設けると、場所を取ってしまうという不具合を生じることになる。
【０００５】
そこで、本発明は、以上のような不具合に着目してなされたもので、天板の下方に複数の引出しを取り付けるに際して、互いの自由度を拘束しないように構成したテーブルを提供することを目的とするものである。
【０００６】
【課題を解決するための手段】
すなわち、本発明のテーブルは、天板と、この天板の下方に設けられ、それぞれ異なる方向にスライドさせる複数の引出しと、この天板を支持する脚部とを有してなるものであって、異なる方向にスライドさせる複数の引出しを、複数段に分けて配置し、これによって互いの拘束を避けて、個々の引出しを大きく設定できるようにしたものである。
【０００７】
さらに、前記脚部と脚部との間に補強材を設け、この補強材の最も外側の面と、引出しを収めた状態での前面部とを揃えるように構成する。この一態様として、例えば、補強材と引出しの前面部とを、その厚み幅および配置する高さ位置を略一致させるように設け、補強材によって形成される水平面と、引出し前面部によって形成される水平面とを揃えて、引出しを目立たせないようにする。その他、補強材の上下に引出しを配置させた場合に、この引出しの前面部を、補強材の外側の面と揃えて同一面を形成するようにしてもよい。このように構成することによって、引出しを補強材と一体化させて、目立たせないようにする。補強材の高さ位置と引出しの前面部の高さ位置とを揃える場合においては、補強材の内側に、当該引出しをスライドさせるためのスライドレールを設けることもできる。
【０００８】
また、このような引出しを着脱可能に設けて、上段の引出しを取り外した場合に、下段の引出しに、この引出しの厚み幅より大きい高さを有するものを収納することができるようにする。さらに、下段の引出しも取り外して、深さの深い引出しに取り付け替えて、その中に大きい物品を収納できるようにする。また、例えば、大きな用紙類を収納するために、浅くて大きい引出しに取り付け替えてもよい。
【０００９】
また、天板の裏面に、少なくとも最上段に配置する引出しをスライドさせるためのスライドレールを設ける。このように構成すれば、引出しのスライドレールを、上方から見えないようして、複雑な機構を表出させないようにできる。さらに、上記したように下段の引出しを深さの深い引き出しに取り付け替えた場合に、スライドレールによってその取り付けを妨げないようにできる。
【００１０】
【発明の実施の形態】
以下、本発明の一実施形態を、図面を参照して説明する。
【００１１】
図１は、本発明の一実施の形態を示すテーブルの正面図を示したものであり、図２は、図１における側面図を示したものである。また、図３は、図１におけるテーブルの引出し５２のうちひとつをスライドさせた状態でのＡ−Ａ方向の断面図を示したものであり、図４は、図１におけるテーブルの引出し５１のうちひとつをスライドさせた状態でのＢ−Ｂ方向の断面図を示したもの、図５は、本実施の形態におけるテーブルの概観斜視図を示したものである。
【００１２】
このテーブル１は、複数人がコラボレーションするために使用することを前提に構成されたものであり、コラボレーションに伴う作業を行うための天板２と、この天板２を支持する脚部３と、この脚３の補強材たる補強フレーム４と、天板２の下方に設けられた引出部５とからなるものである。
【００１３】
天板２は、４名乃至８名が同時に着座して、資料を広げることやメモを取ることが可能なように短手方向幅約１００センチメートル、長手方向幅約１６０センチメートルの大きさに設定した平面視長方形の合板やスチールなどによって構成するとともに、脚部３によって、着座者が天板２上で作業しやすい高さに設定したものである。また、この天板２の裏面に、引出し５１の位置に対応させて、後述する引出し５１をスライドさせるスライド機構Ｓ５１の構成部材であるスライドレールＳ５１１を、ビスなどによって取り付けている。
【００１４】
脚部３は、断面略円形のスチールなどによって構成された４本の脚３１と、この脚３１の上部に設けられ、天板２の裏面と接している飾り脚３２とからなる。
【００１５】
脚３１は、本実施の形態では、飾り脚３２を介して天板２を支持しているものであり、飾り脚３２の高さを加えた場合に、ちょうど天板２に取り付けられている引出し５２が通常の着座者の大腿部の上部に接触しない程度の高さになるように設定したものである。なお、飾り脚３２を設けないで、脚３のみで天板２を支持するようにしてもよい。
【００１６】
飾り脚３２は、脚３１の上端部と天板２との間に設けたもので、円形状の断面を脚３１よりも小径に構成し、高さを引出し５１の厚みに対応するように設定したものである。この飾り脚３２は、脚３１と天板２との間に後述する引出し５１を取り付けるための空間を形成するものであるとともに、デザイン的機能を持たせるために脚３１と別体に形成したものである。なお、この飾り脚３２は、本実施の形態においては、脚３１の上部に設けたものであるが、補強フレーム４の上部に設けたものであってもよい。
【００１７】
補強フレーム４は、長手方向に位置する２本の脚３１の間を、その上端部近傍において渡して設けた第１のフレーム４１と、この向かい合う２本の第１のフレーム４１略中央部の間を渡して設けた２本の第２のフレーム４２（図３参照）とを組合わせて脚部３の間を補強するようにしたものである。この補強フレーム４は、スチールあるいはアルミニウムによって上下幅を引出し５２に対応させて角柱状に形成し、また、外側面を引出しの前面部に対応させて平面状にしたものである。
【００１８】
引出部５は、天板２の短手方向における両使用端に同じ大きさに２つずつ設けられた引出し５１と、この引出し５１をスライドさせるためのスライド機構Ｓ５１、および、長手方向における両使用端に同じ大きさに１つずつ設けられた引出し５２と、この引出し５２をスライドさせるためのスライド機構Ｓ５２とからなる。
【００１９】
引出し５１は、ペンなどの文房具や小物類が収納できる程度の大きさを有する箱型に形成したものであり、天板２と第１のフレーム４１との間、すなわち飾り脚３２の占有する高さ範囲に配置しているものである。
【００２０】
この引出し５１をスライドさせるためのスライド機構Ｓ５１は、天板２の裏面に取り付けたスライドレールＳ５１１と、引出し５１に取り付けたスライド部材Ｓ５１２とからなるもので、スライドレールＳ５１１に対して、進退可能にスライド部材Ｓ５１２を取り付けて構成し、このように天板２に直接スライドレールＳ５１１を取り付けることによって、小さな引出しを任意の位置に任意の数取り付けられるようにしている。
【００２１】
引出し５２は、引出し５１と異なる段（引出し５１より下の段）である補強フレーム４と同じ高さ位置に設けられ、Ａ1やＡ２サイズの用紙を折り畳まないで収納でき、かつプロジェクタなどの機器類が収納できる程度の大きさを有する箱型に形成したものある。また、このテーブル１の短手方向に位置する引出し５２の前面部５２１を、長手方向の補強フレーム４である第1のフレーム４１とデザイン的に同一視させて、そこに引出し５２が存在しないように見せるよう構成したものである。具体的には、前面部５２１を、補強フレーム４と同一の高さ位置、厚み幅、色、デザインに構成している。
【００２２】
最下段に設けたこの引出し５２をスライドさせるためのスライド機構Ｓ５２は、補強フレーム４の第１のフレーム４１の内側に設けられたスライドレールＳ５２１と、引出し５２に取り付けられた図示しないスライド部材とからなるもので、スライドレールＳ５２１に対して、進退可能にスライド部材を取り付けて構成したものである。そして、この補強フレーム４にスライドレールＳ５２１を取り付けることによって、テーブル１の補強を利用して重量物を格納することができ、合わせて、部品の共有化を図ってコストダウンできるようにしている。なお、引出し５１・５２を取り外しできるように、スライド機構Ｓ５１・Ｓ５２には、引出し５１・５２が外れるのを規制する規制部などを設けておらず、また、この引出し５２は、その下方に開放空間を設けて取り付けられており、これによって、この引出し５２を深さの異なる引出しに付け替えられるようにしている。
【００２３】
次に、本実施の形態におけるテーブル１の使用例について、以下に説明する。
【００２４】
本実施の形態のテーブル１を、あるプロジェクトに関するコラボレーションを行う際に用いる場合、着座位置に設けられた引出し５１に各個人の使用する文房具を収納し、着座したまま引出し５１を手前にスライドさせて、文房具を取り出しできるようにする。
【００２５】
また、この下段側に設けられた引出し５２の一方には、Ａ１サイズの資料を、折り畳まないでそのままの状態で使用する時まで収納しておく。そして、この資料を会議で用いる時には、引出し５２を開けて、中に入った用紙をそのまま壁に貼り付けるなどすればよい。
【００２６】
また、他方の引出し５２には、その厚み幅に対応したプロジェクタ等の機器類を収納する。そして、引出し５２を開けて、この引出し５２の中でプロジェクタを使用できる方向に立てて、そのまま投影するようにしてもよい。
【００２７】
また、プロジェクタの大きさが引出しの大きさ５２に対応しない場合は、上段側の引出し５１を取り外し、もしくは、下側のスライドレールＳ５２１に、深さの深い引出しに付け替えるようにする。
【００２８】
また、引出し５１に大きな資料などを入れる場合は、４つ設けた引出し５１のうちのいくつかを取り外し、奥行き幅の大きい引出し５１に付け替えるようにする。
【００２９】
そして、コラボレーションが終われば、そのまま、それぞれの収納物を引出し５１、５２に収納しておき、このようにすることによって、他の場所にプロジェクタ等の機器類を取りに行く手間および戻しに行く手間を省くことができるようにする。
【００３０】
上記したように、本実施の形態におけるテーブル１は異なる方向にスライドする引出し５１・５２を、それぞれ飾り脚３２の高さ位置（天板２と脚３１との間の高さ位置）及びこれと異なる段である補強フレーム４と同じ高さ位置に配置、すなわち、それぞれ異なる段に配置したので、引出し５１を４つ合わせるとほぼテーブルの全面を占めるような大きさに設けながら、引出し５２を、テーブルの半分近くを占める大きさに設けることができる。そのため、例えば、引出し５２の中に、従来折り畳んで引き出しに収納していたＡ１サイズの用紙などをそのまま収納することができ、くわえてコラボレーションを行う際に、即座にこの用紙を取り出して使用することができるようになる。また、比較的小さく設けた引出し５１を、例えば個人的に使用する文房具を収納する引出しとし、大きい引出し５２を、上記した大きな用紙やコラボレーションに用いるプロジェクタ等の機器類を収納する引出しとするなど、それぞれの引出しを使い分けることもできる。
【００３１】
また、引出し５２の前面部５２１を補強フレーム４と同一高さになるように、すなわち補強フレーム４と一体化させて見せるように設けているので、引出し５２を目立たせないようようにすることができる。
【００３２】
また、引出し５１・５２を着脱可能に設けたので、例えば、引出し５１を取り外して、上側の開放空間を利用して、引出し５２に引出し５２より高さの高い物を収納することができ、さらに引出し５２も取り外して下側の開放空間Ｓを利用して、深さの深い引出しに付け替えれば、より高さの高い物品を収納できる。
【００３３】
また、引出し５１をスライドさせるスライドレールＳ５１１を、天板２の裏面に設けているので、このスライドレールＳ５１１を利用した複雑な機構であるスライド機構Ｓ５１を表出させないようにすることができる。
【００３４】
本発明は以上のように述べた実施形態に限らない。
【００３５】
例えば、引出し５１・５２とスライド機構Ｓ５１・Ｓ５２として、着座位置から手前に向けてスライドさせるように構成したが、例えば引出しを平面視扇形や半円状のものに形成して、その中心を支点として円周方向にスライド回転させるようにスライド機構を構成してもよい。
【００３６】
また、本実施形態では、テーブル１を、コラボレーションに際して用いるものとして構成したが、テーブルを、ダイニングテーブルとして構成し、その引出しを各人が使用する箸やナイフやフォーク等、また個人ごとのコップや茶碗等の食器類を収納するような引出しとしてもよい。このようなものであれば、食器棚にまとめて収納していた食器類を、個人が着座する場所に収納し、すぐに取り出すことができる。
【００３７】
その他、各部の具体的構成についても上記実施形態に限られず、本発明の趣旨を逸脱しない範囲で種々変形が可能である。
【００３８】
【発明の効果】
本発明は、以上説明したような形態で実施され、以下に記載されるような効果を奏する。
【００３９】
すなわち、本発明のテーブルは、その天板の下方に設けた異なる方向にスライドする複数の引出しを、複数段に分けて配置するようにしたので、引出しの大きさを、他の引出しによって拘束されることなく設定することができ、同一平面上に複数の引出しを設ける場合と比べて、個々の引出しを大きく設定することができる。すなわち、テーブルの異なる方向にスライドさせる引出しを、用途に応じた大きさに設定できる。
【図面の簡単な説明】
【図１】本発明の一実施の形態におけるテーブルの正面図。
【図２】本発明の一実施の形態におけるテーブルの側面図。
【図３】本発明の一実施の形態におけるテーブルの断面図。
【図４】本発明の一実施の形態におけるテーブルの断面図。
【図５】本発明の一実施の形態におけるテーブルの概観斜視図。
【符号の説明】
１…テーブル
２…天板
３…脚部
４…補強材（補強フレーム）
５１…引出し
５２…引出し
Ｓ５１１…スライドレール
Ｓ…開放空間
【図１】
0004618934.tif 000002
【図２】
0004618934.tif 000003
【図３】
0004618934.tif 000004
【図４】
0004618934.tif 000005
【図５】
0004618934.tif 000006